(57)【特許請求の範囲】
【請求項１】
軸方向に伸び、且つ、径外方向に拡径するフランジ形状を有する被嵌合部が外周面に設けられた竿体と、
前記竿体が挿入される中空筒状の形状を有し、軸方向に伸びる形状を有し前記被嵌合部と嵌合する第１嵌合部を内周面に有し、前記竿体の外周面に着脱自在に装着されるグリップと、
を備える釣竿。
【請求項２】
前記第１嵌合部は、前記グリップの前記内周面から径外方向に凹んだ凹状の形状を有し、
前記被嵌合部は、前記竿体の前記外周面から径外方向に起立する凸状の形状を有する。
請求項１に記載の釣竿。
【請求項３】
前記グリップは、前記第１嵌合部から径内方向に突出し前記被嵌合部の軸方向端部に嵌合する第２嵌合部をさらに有する、
請求項１または２に記載の釣竿。
【請求項４】
前記グリップは弾性体から形成される、
請求項１から３のいずれかに記載の釣竿。
【請求項５】
前記第１嵌合部が前記被嵌合部から受ける内圧は、前記グリップの前記内周面が前記竿体の前記外周面から受ける内圧よりも大きい、
請求項４に記載の釣竿。
【請求項６】
軸に垂直な断面視において、前記第１嵌合部は前記被嵌合部よりも小さく形成され、前記グリップの前記内周面は前記竿体よりも小さく又は前記竿体と同寸法に形成され、
前記第１嵌合部と前記被嵌合部との寸法差は、前記グリップの前記内周面と前記竿体との寸法差よりも大きい、
請求項４または５に記載の釣竿。
【発明の詳細な説明】
【技術分野】
【０００１】
本発明は、竿体に着脱自在に装着されるグリップを備える釣竿に関する。
【背景技術】
【０００２】
釣竿には、竿体と、竿体の竿元側に配置されリールを装着するためのリールシートと、竿体の周面に軸方向に間隔を隔てて配置される釣糸ガイド等とを有するものがある。釣りを行う際には、釣人は、リールシートにリールを装着した上で、リール脚を指に挟み込みながら一方の手でリールシート付近を把持し、他方の手でリール操作を行いまたは竿体の竿元側端部を把持して釣りを行う。このような場合、滑り止め効果やグリップ感の向上等のために、これらの部分にウレタンゴム等からなるグリップが装着されることがある（特許文献１参照）。このグリップは、釣人の嗜好に合わせて装着されるものであるため、任意に脱着可能である必要がある。このため、このグリップは、竿体の竿元側端部に嵌め込みによって装着され、脱着自在とされる。
【特許文献１】特開２００４−８１０６７号公報
【発明の開示】
【発明が解決しようとする課題】
【０００３】
しかし、上記のように竿体に嵌め込まれて装着されるグリップの場合、グリップがずれる恐れがある。すなわち、上記のようなグリップでは、グリップを着脱自在とするためにグリップが竿体に接着されておらず、グリップの内周面と竿体の外周面との間の摩擦による固定力のみによって固定される。このため、グリップに外力が加わるとグリップが竿体からずれる恐れがある。
【０００４】
本発明の課題は、グリップを竿体に任意に着脱可能であると共にグリップの竿体からのずれを抑えることができる釣竿を提供することにある。
【課題を解決するための手段】
【０００５】
第１発明にかかる釣竿は、竿体とグリップとを備える。竿体の外周面には、軸方向に伸び、且つ、径外方向に拡径するフランジ形状を有する被嵌合部が設けられる。グリップは、竿体が挿入される中空筒状の形状を有し、軸方向に伸びる形状を有し被嵌合部と嵌合する第１嵌合部を内周面に有し、竿体の外周面に着脱自在に装着される。
【０００６】
この釣竿では、竿体がグリップに挿入されることによって、竿体の被嵌合部とグリップの第１嵌合部とが嵌合する。このため、竿体に嵌め込まれたグリップの動きが、被嵌合部と第１嵌合部との嵌合によって規制される。これにより、この釣竿では、グリップを竿体に任意に着脱可能であると共にグリップの竿体からのずれを抑えることができる。特に、この釣竿では、被嵌合部は径外方向に拡径するフランジ形状を有する。このため、被嵌合部と第１嵌合部との接触面積が増大し、被嵌合部と第１嵌合部との嵌合をより堅固にすることができる。これにより、この釣竿では、グリップと竿体とをより堅固に固定することができる。
【０００７】
第２発明にかかる釣竿は、第１発明の釣竿であって、第１嵌合部は、グリップの内周面から径外方向に凹んだ凹状の形状を有する。また、被嵌合部は、竿体の外周面から径外方向に起立する凸状の形状を有する。
【０００８】
この釣竿では、第１嵌合部が凹状の形状を有し、被嵌合部が凸状の形状を有する。このため、第１嵌合部と被嵌合部とは、グリップの移動を規制するように嵌合することができる。
【０００９】
第３発明にかかる釣竿は、第１発明または第２発明の釣竿であって、グリップは、第２嵌合部をさらに有する。第２嵌合部は、第１嵌合部から径内方向に突出し、被嵌合部の軸方向端部に嵌合する。
【００１０】
この釣竿では、竿体がグリップに挿入されることによって、被嵌合部に第１嵌合部と第２嵌合部とが嵌合する。これにより、竿体に嵌め込まれたグリップの周方向の動きが被嵌合部と第１嵌合部との嵌合によって規制され、グリップの軸方向の動きが被嵌合部と第２嵌合部との嵌合によって規制される。これにより、この釣竿では、グリップの周方向へのずれと軸方向へのずれとを抑えることができる。
【００１１】
第４発明にかかる釣竿は、第１発明から第３発明の釣竿であって、グリップは弾性体から形成される。
【００１２】
この釣竿では、グリップの装着時にグリップを弾性変形させて竿体を挿入することができる。また、グリップの取り外し時にグリップを弾性変形させて竿体を抜き出すことができる。このため、グリップに第１嵌合部が設けられていても、グリップの脱着を容易に行うことができる。
【００１３】
第５発明にかかる釣竿は、第４発明の釣竿であって、第１嵌合部が被嵌合部から受ける内圧は、グリップの内周面が竿体の外周面から受ける内圧よりも大きい。
【００１４】
従来、竿体に嵌め込まれて脱着自在に装着されるグリップでは、グリップの内周面全体と、グリップの内周面に当接する竿体の外周面全体との嵌合によって、グリップと竿体とが固定される。このため、グリップと竿体とを堅固に固定するためには、グリップの内周面の径寸法を竿体の外周面の径寸法に対して小さく設計して、グリップの内周面が竿体の外周面から受ける内圧を大きくする必要となる。しかし、この場合、グリップと竿体との固定は堅固になるが、グリップと竿体との摩擦力の増大によってグリップの脱着が困難になってしまう。
【００１５】
この釣竿では、第１嵌合部が被嵌合部から受ける内圧は、グリップの内周面が竿体の外周面から受ける内圧よりも大きいため、グリップと竿体との固定は、主に第１嵌合部と被嵌合部との嵌合によって行うことができる。従って、グリップと竿体とを堅固に固定することができると共に、グリップの内周面と竿体の外周面との摩擦力を低減させることができる。これにより、このグリップでは、小さな力でグリップの脱着を行うことができる。
【００１６】
第６発明にかかる釣竿は、第４発明または第５発明の釣竿であって、軸に垂直な断面視において、第１嵌合部は被嵌合部よりも小さく形成され、グリップの内周面は竿体よりも小さく又は竿体と同寸法に形成される。また、第１嵌合部と被嵌合部との寸法差は、グリップ部材の内周面と竿体との寸法差よりも大きい。
【００１７】
この釣竿では、第１嵌合部と被嵌合部との寸法差は、グリップの内周面と竿体との寸法差よりも大きい。このため、竿体および被嵌合部がグリップに圧入されると、第１嵌合部と被嵌合部との間には、グリップの内周面が竿体の外周面から受ける内圧よりも大きい内圧が生じる。このため、グリップと竿体との軸方向の固定は、主に第１嵌合部と被嵌合部との嵌合によって行うことができ、より小さな力でグリップの脱着を行うことができる。
【発明の効果】
【００１８】
第１発明にかかる釣竿では、竿体に嵌め込まれたグリップの動きが被嵌合部と第１嵌合部との嵌合によって規制されるため、グリップを竿体に任意に着脱可能であると共にグリップの竿体からのずれを抑えることができる。特に、被嵌合部は径外方向に拡径するフランジ形状を有するため、グリップと竿体とをより堅固に固定することができる。
【００１９】
第２発明にかかる釣竿では、第１嵌合部が凹状の形状を有し被嵌合部が凸状の形状を有するため、第１嵌合部と被嵌合部とはグリップの移動を規制するように嵌合することができる。
【００２０】
第３発明にかかる釣竿では、竿体に嵌め込まれたグリップの周方向の動きが被嵌合部と第１嵌合部との嵌合によって規制され、グリップの軸方向の動きが被嵌合部と第２嵌合部との嵌合によって規制される。これにより、この釣竿では、グリップの周方向へのずれと軸方向へのずれとを抑えることができる。
【００２１】
第４発明にかかる釣竿では、グリップに第１嵌合部が設けられても、グリップを弾性変形させることによって、グリップの脱着を容易に行うことができる。
【００２２】
第５発明にかかる釣竿では、グリップと竿体とを堅固に固定することができると共に、グリップの内周面と竿体の外周面との摩擦力を低減させることができる。これにより、このグリップでは、小さな力でグリップの脱着を行うことができる。
【００２３】
第６発明にかかる釣竿では、グリップと竿体との固定は、主に第１嵌合部と被嵌合部との嵌合によって行うことができ、より小さな力でグリップの脱着を行うことができる。
【発明を実施するための最良の形態】
【００２４】
＜第１実施形態＞
［構成］
本発明の第１実施形態にかかる釣竿１を図１に示す。
【００２５】
この釣竿１は、竿体２と、竿体２の外周面に着脱自在に装着されるグリップ３とを備えている。なお、図１（ａ）では、釣竿１の竿元側即端部の近傍のみを図示しており他は省略している。また、図１（ｂ）は、図１（ａ）におけるＡ−Ａ断面図である。
【００２６】
グリップ３は、釣竿１を使用する釣人が把持する部分であるグリップ部材４と、グリップ部材４を竿体２に固定するための凸部５とを有している。
【００２７】
グリップ部材４は、図２に示すように、中空円筒状の形状を有しており、ウレタンゴム等の弾性体から一体的に形成されている。なお、図２（ａ）は、グリップ部材の側面図であり、図２（ｂ）は、図２（ａ）におけるＢ−Ｂ断面図である。グリップ部材４は、略円柱型の外形を有すると共に、軸方向に貫通するように略円柱型に貫通孔４０が形成されている。この貫通孔４０の内面すなわちグリップ部材４の内周面の一部には、軸方向に伸びる凹部４１が設けられている。凹部４１は、グリップ部材４の内周面から径外方向へと穿設されている。凹部４１は、内径方向には貫通孔４０と連通しているが、径外方向には閉塞されている。また、凹部４１は、貫通孔４０と同様に、軸方向にグリップ部材４の一方の端部から他方の端部に亘ってグリップ部材４を貫通して設けられている。さらに、凹部４１は、後述する凸部５のフランジ形状に沿った形状となっている。グリップ部材４は、竿体２との嵌め込みによって竿体２に固定される。
【００２８】
凸部５は、図３に示すように、竿体２の竿元側端部の近傍の外周面に固定される。なお、図３（ａ）は、凸部５が設けられた竿体２の側面図であり、図３（ｂ）は。図３（ａ）におけるＣ−Ｃ断面図である。凸部５は、凹部４１（図２参照）と嵌合してグリップ部材４を竿体２に固定するための部分であり、竿体２の外周面から径外方向に起立し軸方向に伸びる凸状の形状を有する。凸部５は、径外方向に拡径するフランジ形状を有しており、凹部４１に嵌合する。凸部５は、竿体２の外周面に固定された状態で、竿体２の外周面から径外方向へと突出した状態となる。凸部５は、軸方向に細長く伸びた形状を有しており、前述したグリップ部材４の軸方向の長さよりも僅かに短くなっている。なお、凸部５は、竿体２と一体に形成されてもよく、また、釣竿１と別体に形成されて釣竿１に固定されてもよい。
【００２９】
グリップ部材４は、貫通孔４０に竿体２の竿元側端部が挿入され、凸部５と凹部４１とが嵌合した状態で、竿体２に装着される（図１参照）。グリップ部材４は、主としてグリップ部材４と、竿体２および凸部５との摩擦によって固定されている。すなわち、グリップ部材４は、接着剤などによらない嵌め込み式によって竿体２に固定されており、グリップ部材４は竿体２へ着脱自在に装着される。ここで、グリップ部材４と竿体２とを固定する力は、主にグリップ部材４の凹部４１と、凸部５との嵌合によって設定される。すなわち、凹部４１が凸部５から受ける内圧は、グリップ部材４の内周面が竿体２の外周面から受ける内圧よりも大きくなっている。そして、このようにするためには、例えば、凹部４１の形状を凸部５よりも僅かに小さい形状として、凸部５を凹部４１に圧入することによって内圧を発生させる。また、グリップ部材４の貫通孔４０の形状も竿体２より僅かに小さい形状とするが、凹部４１と凸部５との寸法差がグリップ部材４の内周面と竿体２との寸法差よりも大きくなるように、貫通孔４０の形状を設計するとよい。或いは、凹部４１は上記のように内圧を受けるようにすると共に、グリップ部材４の貫通孔４０と竿体２とを略同じ寸法として、グリップ部材４の内周面が内圧を殆ど受けないように設計されてもよい。
【００３０】
［効果］
（１）
この釣竿１では、グリップ部材４に竿体２が挿入されることによって、凹部４１と凸部５とが嵌合する。凹部４１と凸部５とは、軸方向に伸びる形状であるため、竿体２に嵌め込まれたグリップ部材４の周方向への動きは、凹部４１と凸部５との嵌合によって規制される。これにより、この釣竿１では、グリップ部材４を任意に竿体２に着脱可能であると共に、グリップ部材４の周方向へのずれを抑えて周方向の固定を強化することができる。
【００３１】
（２）
この釣竿１では、凹部４１が凸部５から受ける内圧は、グリップ部材４の内周面が竿体２の外周面から受ける内圧よりも大きいため、グリップ部材４と竿体２との固定は、主に凹部４１と凸部５との嵌合によって行われる。従って、凹部４１が凸部５から受ける内圧を大きくして、グリップ部材４の内周面が竿体２の外周面から受ける内圧を小さくすることによって、グリップ部材４と竿体２とを堅固に固定すると共に、グリップ部材４の内周面と竿体２の外周面との間の摩擦力を小さくすることができる。これにより、この釣竿１では、比較的小さな力でグリップ部材４の脱着を行うことができ、グリップ部材４の着脱性を向上させることができる。
【００３２】
＜第２実施形態＞
［構成］
本発明の第２実施形態にかかる釣竿が備えるグリップ部材６を図４に示す。図４（ａ）はグリップ部材６の側面断面図であり、図４（ｂ）は図４（ａ）におけるＤ−Ｄ断面図である。
【００３３】
グリップ部材６には、凹部６１の軸方向の端部に突起部６２，６３が設けられている。突起部６２，６３は、凹部６１から径内方向へ突出しており、竿体２（図１参照）がグリップ部材６に挿入された状態で凸部５（図１参照）の軸方向の端部に嵌合する。突起部６２，６３は、グリップ部材６の竿先側の端部に設けられる第１突起部６２と、グリップ部材６の竿元側の端部に設けられる第１突起部６３とを有する。第１突起部６２は、凸部５の竿先側端部に嵌合する。第１突起部６３は、凸部５の竿元側端部に嵌合する。
【００３４】
他の構成については、第１実施形態にかかる釣竿１と同様である。
【００３５】
［効果］
この釣竿では、突起部６２，６３が凸部５の軸方向の端部に嵌合する。このため、竿体２に嵌め込まれたグリップ部材６の軸方向の動きが、突起部６２，６３と凸部５との嵌合によって規制される。これにより、この釣竿では、グリップ部材６の周方向のずれと軸方向のずれとが防止される。
【００３６】
なお、グリップ部材６を竿体２に装着するときには、グリップ部材６を竿体２に押し込むことによってグリップ部材６を弾性変形させて装着することができる。このため、突起部６２，６３がグリップ部材６の装着の障害とならず、容易にグリップ部材６を竿体２に装着することができる。
【００３７】
＜参考例＞
上記の実施形態では、凹部４１および凸部５は軸方向に伸びる形状であるが、図５に示すグリップ部材７と凸部８のように、軸方向にグリップ部材の一端から他端に渡って貫通するのではなく、その間に設けられる凹部７１が設けられてもよい。凹部７１は、グリップ部材７が竿体２に装着された状態で、軸方向、周方向および径外方向において凸部８と嵌合する。グリップ部材７は複数の凹部７１（本実施形態では２つの凹部７１）を有しており、複数の凹部７１は軸方向に距離を隔てて並んでいる。凸部８は、竿体２の外周面から径外方向に起立する四角柱形状を有している。竿体２には複数の凸部８が設けられており、複数の凸部８は軸方向に距離を隔てて並んでいる。なお、図５（ａ）は釣竿の側面断面図であるが、理解の容易のため、グリップ部材７のみ断面として示している。また、図５（ｂ）は図５（ａ）におけるＥ−Ｅ断面図である。
【００３８】
このような凹部７１および凸部８によってもグリップ部材７の周方向および軸方向の動きが規制され、グリップ部材７の周方向および軸方向のずれを防止することができる。
【００３９】
なお、凹部７１および凸部８は直線的な形状に限らず、図６に示すグリップ部材１０の凹部７２および凸部９のように曲線的な形状であってもよい。この凸部９は径外方向の端部が円弧状に湾曲する曲面によって構成されており、凹部７２も凸部９に嵌合するように円弧状に湾曲した曲面を有している。このような凹部７２および凸部９によってもグリップ部材１０の周方向および軸方向の動きが規制され、グリップ部材１０の周方向および軸方向のずれを防止することができる。なお、図６（ａ）は、釣竿の側面断面図であるが、理解の容易のため、グリップ部材１０のみ断面として示している。また、図６（ｂ）は図６（ａ）におけるＦ−Ｆ断面図である。
【００４０】
＜他の実施形態＞
（１）
上記の実施形態では、グリップ部材４の外形は円柱型の形状となっているが、円柱型に限らず、三角柱などの多角柱型あるいは楕円柱型などであってもよい。
【００４１】
（２）
グリップ部材４は、釣竿１の中でもっとも竿元側に位置する元竿の竿元側端部付近に装着されるのが一般的であるが、竿元側端部に限らず他の位置に装着されてもよい。
【産業上の利用可能性】
【００４２】
本発明は、グリップを竿体に任意に着脱可能であると共にグリップの竿体からのずれを抑えることができる効果を有し、釣竿として有用である。
【図面の簡単な説明】
【００４３】
【図１】（ａ）釣竿の側面図。（ｂ）釣竿の軸断面図。
【図２】（ａ）グリップ部材の側面図。（ｂ）グリップ部材の軸断面図。
【図３】（ａ）竿体および凸部の側面図。（ｂ）竿体および凸部の軸断面図。
【図４】（ａ）第２実施形態にかかるグリップ部材の側面断面図。（ｂ）グリップ部材の軸断面図。
【図５】（ａ）参考例にかかる釣竿の側面断面図。（ｂ）釣竿の軸断面図。
【図６】（ａ）参考例にかかる釣竿の側面断面図。（ｂ）釣竿の軸断面図。
【符号の説明】
【００４４】
１                      釣竿
２                      竿体
３                      グリップ
５，８，９              凸部（被嵌合部）
４１，６１，７１，７２  凹部（第１嵌合部）
６２，６３              突起部（第２嵌合部）
【図１】
0004638692.tif 000002
【図２】
0004638692.tif 000003
【図３】
0004638692.tif 000004
【図４】
0004638692.tif 000005
【図５】
0004638692.tif 000006
【図６】
0004638692.tif 000007